【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
ブロック単位で輝度信号と色差信号とを含む画像信号を復号する画像復号装置であって、
前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、
前記逆直交変換された第２のブロックを復号して得られる残差信号に予測信号を重畳して復号画像を生成する復号画像信号重畳部と
を備えることを特徴とする画像復号装置。
【請求項２】
前記逆直交変換部は、前記画像信号の色差フォーマットが４：２：２である場合、前記画像信号の各ピクチャを横対縦の比率が１対２の長方形となるよう分割した色差信号の第１のブロックのそれぞれを必要に応じて再帰的に上下左右に４分割してさらに正方形となるよう上下に二分割した第２のブロックを逆直交変換する、
ことを特徴とする請求項１記載の画像復号装置。
【請求項３】
前記逆直交変換部は、第１のブロックが予め設定されたサイズよりも大きい場合、第１のブロックを予め設定されたサイズに達するまで再帰的に上下左右に４分割する、
ことを特徴とする請求項１又は２に記載の画像復号装置。
【請求項４】
ブロック単位で輝度信号と色差信号とを含む画像信号を復号する画像復号方法であって、
前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、
前記逆直交変換された第２のブロックを復号して得られる残差信号に予測信号を重畳して復号画像を生成する復号画像信号重畳部と
を有することを特徴とする画像復号方法。
【請求項５】
ブロック単位で輝度信号と色差信号とを含む画像信号を復号する画像復号プログラムであって、
前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、
前記逆直交変換された第２のブロックを復号して得られる残差信号に予測信号を重畳して復号画像を生成する復号画像信号重畳ステップと
をコンピュータに実行させることを特徴とする画像復号プログラム。
【請求項６】
ブロック単位で輝度信号と色差信号とを含む画像信号を復号する受信装置であって、
パケット化された符号化データをネットワークを介して受信する受信部と、
受信された符号化データをバッファするメモリと、
前記符号化データをパケット処理して符号化ストリームを生成するパケット処理部と、
前記符号化ストリームにおける画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、
前記逆直交変換された第２のブロックを復号して得られる残差信号に予測信号を重畳して復号画像を生成する復号画像信号重畳部と
を備えることを特徴とする受信装置。
【請求項７】
ブロック単位で輝度信号と色差信号とを含む画像信号を復号する受信方法であって、
パケット化された符号化データをネットワークを介して受信する受信ステップと、
受信された符号化データをバッファするステップと、
前記符号化データをパケット処理して符号化ストリームを生成するパケット処理ステップと、
前記符号化ストリームにおける前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、
前記逆直交変換された第２のブロックを復号して得られる残差信号に予測信号を重畳して復号画像を生成する復号画像信号重畳ステップと
を有することを特徴とする受信方法。
【請求項８】
ブロック単位で輝度信号と色差信号とを含む画像信号を復号する受信プログラムであって、
パケット化された符号化データをネットワークを介して受信する受信ステップと、
受信された符号化データをバッファするステップと、
前記符号化データをパケット処理して符号化ストリームを生成するパケット処理ステップと、
前記符号化ストリームにおける前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、
前記逆直交変換された第２のブロックを復号して得られる残差信号に予測信号を重畳して復号画像を生成する復号画像信号重畳ステップと
をコンピュータに実行させることを特徴とする受信プログラム。
【手続補正２】
【補正対象書類名】明細書
【補正対象項目名】発明の名称
【補正方法】変更
【補正の内容】
【発明の名称】画像復号装置、画像復号方法、及び画像復号プログラム、並びに、受信装置、受信方法、及び受信プログラム
【手続補正３】
【補正対象書類名】明細書
【補正対象項目名】００１１
【補正方法】変更
【補正の内容】
【００１１】
ブロック単位で輝度信号と色差信号とを含む画像信号を復号する画像復号装置であって、前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、前記逆直交変換された第２のブロックを復号して得られる残差信号に予測信号を重畳して復号画像を生成する復号画像信号重畳部とを備えることを特徴とする画像復号装置を提供する。
ブロック単位で輝度信号と色差信号とを含む画像信号を復号する画像復号方法であって、前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、前記逆直交変換された第２のブロックを復号して得られる残差信号に予測信号を重畳して復号画像を生成する復号画像信号重畳部とを有することを特徴とする画像復号方法を提供する。
ブロック単位で輝度信号と色差信号とを含む画像信号を復号する画像復号プログラムであって、前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、前記逆直交変換された第２のブロックを復号して得られる残差信号に予測信号を重畳して復号画像を生成する復号画像信号重畳ステップとをコンピュータに実行させることを特徴とする画像復号プログラムを提供する。
ブロック単位で輝度信号と色差信号とを含む画像信号を復号する受信装置であって、パケット化された符号化データをネットワークを介して受信する受信部と、受信された符号化データをバッファするメモリと、前記符号化データをパケット処理して符号化ストリームを生成するパケット処理部と、前記符号化ストリームにおける画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換部と、前記逆直交変換された第２のブロックを復号して得られる残差信号に予測信号を重畳して復号画像を生成する復号画像信号重畳部とを備えることを特徴とする受信装置を提供する。
ブロック単位で輝度信号と色差信号とを含む画像信号を復号する受信方法であって、パケット化された符号化データをネットワークを介して受信する受信ステップと、受信された符号化データをバッファするステップと、前記符号化データをパケット処理して符号化ストリームを生成するパケット処理ステップと、前記符号化ストリームにおける前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、前記逆直交変換された第２のブロックを復号して得られる残差信号に予測信号を重畳して復号画像を生成する復号画像信号重畳ステップとを有することを特徴とする受信方法を提供する。
ブロック単位で輝度信号と色差信号とを含む画像信号を復号する受信プログラムであって、パケット化された符号化データをネットワークを介して受信する受信ステップと、受信された符号化データをバッファするステップと、前記符号化データをパケット処理して符号化ストリームを生成するパケット処理ステップと、前記符号化ストリームにおける前記画像信号の色差フォーマットが４：２：２である場合、前記画像信号の各ピクチャを分割した色差信号の第１のブロックのそれぞれを必要に応じて再帰的に上下左右に４分割してさらに二分割した第２のブロックを逆直交変換する逆直交変換ステップと、前記逆直交変換された第２のブロックを復号して得られる残差信号に予測信号を重畳して復号画像を生成する復号画像信号重畳ステップとをコンピュータに実行させることを特徴とする受信プログラムを提供する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】